(57)【要約】  下りリンクの送信指向性を定めるプリコーダ行列を適用して基地局が下りリンク・マルチアンテナ伝送を行う移動通信システムは、前記基地局にフィードバックするプリコーダ行列情報として、第１のプリコーダ行列情報及び第２のプリコーダ行列情報のうち何れか一方を選択する第１のユーザ端末と、を有する。前記プリコーダ行列情報は、前記基地局において、当該基地局との接続を確立する第２のユーザ端末への送信に適用する前記プリコーダ行列を決定する際に参照される。前記第１のプリコーダ行列情報は、前記第１のユーザ端末にとって好ましい前記プリコーダ行列を示す。前記第２のプリコーダ行列情報は、前記第１のユーザ端末にとって好ましくない前記プリコーダ行列を示す。
2014073488.tif 000002
【特許請求の範囲】
【請求項１】
下りリンクの送信指向性を定めるプリコーダ行列を適用して基地局が下りリンク・マルチアンテナ伝送を行う移動通信システムであって、
前記基地局にフィードバックするプリコーダ行列情報として、第１のプリコーダ行列情報及び第２のプリコーダ行列情報のうち何れか一方を選択する第１のユーザ端末を有し、
前記プリコーダ行列情報は、前記基地局において、当該基地局との接続を確立する第２のユーザ端末への送信に適用する前記プリコーダ行列を決定する際に参照され、
前記第１のプリコーダ行列情報は、前記第１のユーザ端末にとって好ましい前記プリコーダ行列を示し、
前記第２のプリコーダ行列情報は、前記第１のユーザ端末にとって好ましくない前記プリコーダ行列を示すことを特徴とする移動通信システム。
【請求項２】
前記第１のユーザ端末は、前記第１のプリコーダ行列情報を前記基地局に複数フィードバックしており、且つ、当該第１のプリコーダ行列情報の数が閾値以上である場合に、前記基地局にフィードバックする前記プリコーダ行列情報を前記第２のプリコーダ行列情報に切り替えることを特徴とする請求項１に記載の移動通信システム。
【請求項３】
前記第１のユーザ端末は、前記第２のプリコーダ行列情報を前記基地局に複数フィードバックしており、且つ、当該第２のプリコーダ行列情報の数が閾値以上である場合に、前記基地局にフィードバックする前記プリコーダ行列情報を前記第１のプリコーダ行列情報に切り替えることを特徴とする請求項１に記載の移動通信システム。
【請求項４】
前記第１のユーザ端末は、前記第１のプリコーダ行列情報を選択した場合に、前記基地局にフィードバックする前記プリコーダ行列情報が前記第１のプリコーダ行列情報であることを示す第１の識別情報を当該第１のプリコーダ行列情報に付加して前記基地局にフィードバックすることを特徴とする請求項１に記載の移動通信システム。
【請求項５】
前記第１のユーザ端末は、前記第２のプリコーダ行列情報を選択した場合に、前記基地局にフィードバックする前記プリコーダ行列情報が前記第２のプリコーダ行列情報であることを示す第２の識別情報を当該第２のプリコーダ行列情報に付加して前記基地局にフィードバックすることを特徴とする請求項１に記載の移動通信システム。
【請求項６】
前記基地局は、下りリンクの信号系列数を定めるランクをさらに適用して前記下りリンク・マルチアンテナ伝送を行っており、
前記第１のユーザ端末は、複数のランク情報のそれぞれについて、前記基地局にフィードバックする前記プリコーダ行列情報として、前記第１のプリコーダ行列情報及び前記第２のプリコーダ行列情報のうち何れか一方を選択することを特徴とする請求項１に記載の移動通信システム。
【請求項７】
前記第１のユーザ端末が前記第１のプリコーダ行列情報を選択してフィードバックする場合に、前記基地局は、前記第１のプリコーダ行列情報と一致するプリコーダ行列情報をフィードバックする前記第２のユーザ端末に対して、前記第１のユーザ端末と同一の無線リソースを割り当てて、前記一致するプリコーダ行列情報に従って前記第２のユーザ端末への送信を行うことを特徴とする請求項１に記載の移動通信システム。
【請求項８】
前記第１のユーザ端末が前記第２のプリコーダ行列情報を選択してフィードバックする場合に、前記基地局は、前記第２のプリコーダ行列情報と一致しないプリコーダ行列情報をフィードバックする前記第２のユーザ端末に対して、前記第１のユーザ端末と同一の無線リソースを割り当てて、前記一致しないプリコーダ行列情報に従って前記第２のユーザ端末への送信を行うことを特徴とする請求項１に記載の移動通信システム。
【請求項９】
前記基地局は、前記第１のユーザ端末のサービングセルに隣接するセルを構成していることを特徴とする請求項１に記載の移動通信システム。
【請求項１０】
前記基地局は、前記第１のユーザ端末のサービングセルを構成していることを特徴とする請求項１に記載の移動通信システム。
【請求項１１】
下りリンクの送信指向性を定めるプリコーダ行列を適用して基地局が下りリンク・マルチアンテナ伝送を行う移動通信システムにおけるユーザ端末であって、
前記基地局にフィードバックするプリコーダ行列情報として、第１のプリコーダ行列情報及び第２のプリコーダ行列情報のうち何れか一方を選択する制御部を有し、
前記プリコーダ行列情報は、前記基地局において、当該基地局との接続を確立する他のユーザ端末への送信に適用する前記プリコーダ行列を決定する際に参照され、
前記第１のプリコーダ行列情報は、前記ユーザ端末にとって好ましい前記プリコーダ行列を示し、
前記第２のプリコーダ行列情報は、前記ユーザ端末にとって好ましくない前記プリコーダ行列を示すことを特徴とするユーザ端末。
【請求項１２】
下りリンクの送信指向性を定めるプリコーダ行列を適用して基地局が下りリンク・マルチアンテナ伝送を行う移動通信システムにおけるユーザ端末に備えられるプロセッサであって、
前記プロセッサは、前記基地局にフィードバックするプリコーダ行列情報として、第１のプリコーダ行列情報及び第２のプリコーダ行列情報のうち何れか一方を選択し、
前記プリコーダ行列情報は、前記基地局において、当該基地局との接続を確立する他のユーザ端末への送信に適用する前記プリコーダ行列を決定する際に参照され、
前記第１のプリコーダ行列情報は、前記ユーザ端末にとって好ましい前記プリコーダ行列を示し、
前記第２のプリコーダ行列情報は、前記ユーザ端末にとって好ましくない前記プリコーダ行列を示すことを特徴とするプロセッサ。
【発明の詳細な説明】
【技術分野】
【０００１】
本発明は、下りリンク・マルチアンテナ伝送をサポートする移動通信システム、ユーザ端末、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥシステムは、下りリンク・マルチアンテナ伝送をサポートする（例えば、非特許文献１参照）。【０００３】
下りリンク・マルチアンテナ伝送をＦＤＤ方式で実現するために、ユーザ端末は、プリコーダ行列を示すプリコーダ行列情報とランクを示すランク情報との組み合わせを基地局にフィードバックする。ここで、プリコーダ行列は、送信指向性を定めるものであり、ランクは、信号系列数（レイヤ数）を定めるものである。【０００４】
基地局は、ユーザ端末毎にフィードバックされるフィードバック情報（プリコーダ行列情報及びランク情報の組み合わせ）に基づくプリコーダ行列及びランクを適用して、下りリンク・マルチアンテナ伝送を行う。
【先行技術文献】
【非特許文献】
【０００５】
【非特許文献１】３ＧＰＰ技術仕様  「ＴＳ  ３６．３００  Ｖ１１．３．０」  （２０１２-９）
【発明の概要】
【０００６】
現行の仕様では、対象周波数帯（下りリンク全帯域又はサブバンド）についてのフィードバック情報として、特定の種別のプリコーダ行列情報を固定的にフィードバックする旨が規定されている。しかしながら、このようなフィードバック方法では、下りリンク・マルチアンテナ伝送を適切に実施することが困難である。
【０００７】
そこで、本発明は、下りリンク・マルチアンテナ伝送を適切に実施可能とする移動通信システム、ユーザ端末、及びプロセッサを提供する。
【０００８】
一実施形態によれば、下りリンクの送信指向性を定めるプリコーダ行列を適用して基地局が下りリンク・マルチアンテナ伝送を行う移動通信システムは、前記基地局にフィードバックするプリコーダ行列情報として、第１のプリコーダ行列情報及び第２のプリコーダ行列情報のうち何れか一方を選択する第１のユーザ端末を有する。前記プリコーダ行列情報は、前記基地局において、当該基地局との接続を確立する第２のユーザ端末への送信に適用する前記プリコーダ行列を決定する際に参照される。前記第１のプリコーダ行列情報は、前記第１のユーザ端末にとって好ましい前記プリコーダ行列を示す。前記第２のプリコーダ行列情報は、前記第１のユーザ端末にとって好ましくない前記プリコーダ行列を示す。
【図面の簡単な説明】
【０００９】
【図１】ＬＴＥシステムの構成図である。
【図２】ＵＥのブロック図である。
【図３】ｅＮＢのブロック図である。
【図４】下りリンク・マルチアンテナ伝送に関連するブロック図である。
【図５】ＬＴＥシステムにおける無線インターフェイスのプロトコルスタック図である。
【図６】ＬＴＥシステムで使用される無線フレームの構成図である。
【図７】第１実施形態に係る動作環境を示す図である。
【図８】第１実施形態に係る動作環境を示す図である。
【図９】第１実施形態に係るＵＥの動作フロー図である。
【図１０】第１実施形態に係るフィードバックメッセージのメッセージ構成図である。
【図１１】第２実施形態に係るＵＥの動作フロー図である。
【図１２】第２実施形態に係るフィードバックメッセージのメッセージ構成図である。
【図１３】その他の実施形態に係る動作環境を示す図である。
【図１４】その他の実施形態に係る動作環境を示す図である。
【発明を実施するための形態】
【００１０】
［実施形態の概要］
実施形態に係る移動通信システムは、下りリンクの送信指向性を定めるプリコーダ行列を適用して基地局が下りリンク・マルチアンテナ伝送を行う。移動通信システムは、前記基地局にフィードバックするプリコーダ行列情報として、第１のプリコーダ行列情報及び第２のプリコーダ行列情報のうち何れか一方を選択する第１のユーザ端末を有する。前記プリコーダ行列情報は、前記基地局において、当該基地局との接続を確立する第２のユーザ端末への送信に適用する前記プリコーダ行列を決定する際に参照される。前記第１のプリコーダ行列情報は、前記第１のユーザ端末にとって好ましい前記プリコーダ行列を示す。前記第２のプリコーダ行列情報は、前記第１のユーザ端末にとって好ましくない前記プリコーダ行列を示す。なお、第１のユーザ端末にとって好ましいプリコーダ行列とは、第１のユーザ端末への干渉が小さいプリコーダ行列（すなわち、第１のユーザ端末にヌルが向くプリコーダ行列）である。これに対し、第１のユーザ端末にとって好ましくないプリコーダ行列とは、第１のユーザ端末への干渉が大きいプリコーダ行列（すなわち、第１のユーザ端末にビームが向くプリコーダ行列）である。
【００１１】
これにより、第１のプリコーダ行列情報と第２のプリコーダ行列情報とを状況に応じて使い分けることができる。例えば、第１のユーザ端末は、フィードバックすべき情報量が少なくなるように、第１のプリコーダ行列情報及び第２のプリコーダ行列情報のうち何れか一方を選択する。
【００１２】
前記第１のユーザ端末は、前記第１のプリコーダ行列情報を前記基地局に複数フィードバックしており、且つ、当該第１のプリコーダ行列情報の数が閾値以上である場合に、前記基地局にフィードバックする前記プリコーダ行列情報を前記第２のプリコーダ行列情報に切り替える。
【００１３】
ここで、第１のプリコーダ行列情報の数が閾値以上である場合（すなわち、好ましいプリコーダ行列を多数通知する状況）においては、好ましくないプリコーダ行列は逆に少なくなる。よって、そのような状況下では、フィードバックするプリコーダ行列情報を第２のプリコーダ行列情報に切り替える（すなわち、好ましくないプリコーダ行列を通知するよう切り替える）ことにより、フィードバックすべき情報量を少なくすることができる。
【００１４】
前記第１のユーザ端末は、前記第２のプリコーダ行列情報を前記基地局に複数フィードバックしており、且つ、当該第２のプリコーダ行列情報の数が閾値以上である場合に、前記基地局にフィードバックする前記プリコーダ行列情報を前記第１のプリコーダ行列情報に切り替える。
【００１５】
ここで、第２のプリコーダ行列情報の数が閾値以上である場合（すなわち、好ましくないプリコーダ行列を多数通知する状況）においては、好ましいプリコーダ行列は逆に少なくなる。よって、そのような状況下では、フィードバックするプリコーダ行列情報を第１のプリコーダ行列情報に切り替える（すなわち、好ましいプリコーダ行列を通知するよう切り替える）ことにより、フィードバックすべき情報量を少なくすることができる。
【００１６】
前記第１のユーザ端末は、前記第１のプリコーダ行列情報を選択した場合に、前記基地局にフィードバックする前記プリコーダ行列情報が前記第１のプリコーダ行列情報であることを示す第１の識別情報を当該第１のプリコーダ行列情報に付加して前記基地局にフィードバックする。
【００１７】
これにより、基地局は、フィードバックされたプリコーダ行列情報が第１のプリコーダ行列情報であることを認識できる。
【００１８】
前記第１のユーザ端末は、前記第２のプリコーダ行列情報を選択した場合に、前記基地局にフィードバックする前記プリコーダ行列情報が前記第２のプリコーダ行列情報であることを示す第２の識別情報を当該第２のプリコーダ行列情報に付加して前記基地局にフィードバックする。
【００１９】
これにより、基地局は、フィードバックされたプリコーダ行列情報が第１のプリコーダ行列情報であることを認識できる。
【００２０】
前記基地局は、下りリンクの信号系列数を定めるランクをさらに適用して前記下りリンク・マルチアンテナ伝送を行う。前記第１のユーザ端末は、複数のランク情報のそれぞれについて、前記基地局にフィードバックする前記プリコーダ行列情報として、前記第１のプリコーダ行列情報及び前記第２のプリコーダ行列情報のうち何れか一方を選択してもよい。
【００２１】
これにより、第１のプリコーダ行列情報と第２のプリコーダ行列情報とをランク情報毎に使い分けることができる。
【００２２】
前記第１のユーザ端末が前記第１のプリコーダ行列情報を選択してフィードバックする場合に、前記基地局は、前記第１のプリコーダ行列情報と一致するプリコーダ行列情報をフィードバックする前記第２のユーザ端末に対して、前記第１のユーザ端末と同一の無線リソースを割り当てて、前記一致するプリコーダ行列情報に従って前記第２のユーザ端末への送信を行う。
【００２３】
これにより、第１のユーザ端末への干渉を抑圧しつつ、第２のユーザ端末への送信を良好に行うことができる。
【００２４】
前記第１のユーザ端末が前記第２のプリコーダ行列情報を選択してフィードバックする場合に、前記基地局は、前記第２のプリコーダ行列情報と一致しないプリコーダ行列情報をフィードバックする前記第２のユーザ端末に対して、前記第１のユーザ端末と同一の無線リソースを割り当てて、前記一致しないプリコーダ行列情報に従って前記第２のユーザ端末への送信を行う。
【００２５】
これにより、第１のユーザ端末への干渉を抑圧しつつ、第２のユーザ端末への送信を良好に行うことができる。
【００２６】
前記基地局は、前記第１のユーザ端末のサービングセルに隣接するセルを構成している。
【００２７】
或いは、前記基地局は、前記第１のユーザ端末のサービングセルを構成している。
【００２８】
実施形態に係るユーザ端末は、下りリンクの送信指向性を定めるプリコーダ行列を適用して基地局が下りリンク・マルチアンテナ伝送を行う移動通信システムにおいて用いられる。ユーザ端末は、前記基地局にフィードバックするプリコーダ行列情報として、第１のプリコーダ行列情報及び第２のプリコーダ行列情報のうち何れか一方を選択する制御部を有する。前記プリコーダ行列情報は、前記基地局において、当該基地局との接続を確立する他のユーザ端末への送信に適用する前記プリコーダ行列を決定する際に参照される。前記第１のプリコーダ行列情報は、前記ユーザ端末にとって好ましい前記プリコーダ行列を示す。前記第２のプリコーダ行列情報は、前記ユーザ端末にとって好ましくない前記プリコーダ行列を示す。
【００２９】
実施形態に係るプロセッサは、下りリンクの送信指向性を定めるプリコーダ行列を適用して基地局が下りリンク・マルチアンテナ伝送を行う移動通信システムにおけるユーザ端末に備えられる。前記プロセッサは、前記基地局にフィードバックするプリコーダ行列情報として、第１のプリコーダ行列情報及び第２のプリコーダ行列情報のうち何れか一方を選択する。前記プリコーダ行列情報は、前記基地局において、当該基地局との接続を確立する他のユーザ端末への送信に適用する前記プリコーダ行列を決定する際に参照される。前記第１のプリコーダ行列情報は、前記ユーザ端末にとって好ましい前記プリコーダ行列を示す。前記第２のプリコーダ行列情報は、前記ユーザ端末にとって好ましくない前記プリコーダ行列を示す。
【００３０】
［第１実施形態］
以下、図面を参照して、３ＧＰＰ規格に準拠して構成される移動通信システム（ＬＴＥシステム）に本発明を適用する場合の一実施形態を説明する。
【００３１】
（ＬＴＥシステム）
図１は、本実施形態に係るＬＴＥシステムの構成図である。
【００３２】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。
【００３３】
ＵＥ１００は、移動型の無線通信装置であり、接続を確立したセル（サービングセル）との無線通信を行う。ＵＥ１００はユーザ端末に相当する。
【００３４】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを構成しており、自セルとの接続を確立したＵＥ１００との無線通信を行う。
【００３５】
なお、「セル」は、無線通信エリアの最小単位を示す用語として使用される他に、ＵＥ１００との無線通信を行う機能を示す用語としても使用される。
【００３６】
ｅＮＢ２００は、例えば、無線リソース管理（ＲＲＭ）機能と、ユーザデータのルーティング機能と、モビリティ制御及びスケジューリングのための測定制御機能と、を有する。
【００３７】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００３８】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３９】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００４０】
ＯＡＭ４００は、オペレータによって管理されるサーバ装置であり、Ｅ−ＵＴＲＡＮ１０の保守及び監視を行う。
【００４１】
次に、ＵＥ１００及びｅＮＢ２００の構成を説明する。
【００４２】
図２は、ＵＥ１００のブロック図である。図２に示すように、ＵＥ１００は、複数のアンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００４３】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４４】
アンテナ１０１及び無線送受信機１１０は、無線信号の送受信に用いられる。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４５】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４６】
ＧＮＳＳ受信機１３０は、ＵＥ１００の地理的な位置を示す位置情報を得るために、ＧＮＳＳ信号を受信して、受信した信号をプロセッサ１６０に出力する。
【００４７】
バッテリ１４０は、ＵＥ１００の各ブロックに供給すべき電力を蓄える。
【００４８】
メモリ１５０は、プロセッサ１６０によって実行されるプログラムと、プロセッサ１６０による処理に使用される情報と、を記憶する。
【００４９】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００５０】
本実施形態では、プロセッサ１６０は、無線送受信機１１０が受信する信号（特に、参照信号）に基づいてチャネル状態情報（ＣＳＩ）を生成し、当該チャネル状態情報をサービングセル又は隣接セルにフィードバックする。チャネル状態情報は、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ）などを含む。
【００５１】
なお、メモリ１５０は、ＰＭＩの候補のセット（コードブック）を保持しており、プロセッサ１６０は、コードブックの中から何れかのＰＭＩを選択してフィードバックする。
【００５２】
フィードバック対象となる周波数単位（対象周波数帯）としては、「下りリンク全帯域」又は「サブバンド」が規定されており、何れを用いるかはｅＮＢ２００からの指示に応じて定められる。サブバンドは、下りリンク全帯域を分割した周波数単位であり、複数リソースブロック分の帯域幅を有する。フィードバックされる情報（ＰＭＩ、ＲＩ、ＣＱＩなど）の詳細については後述する。
【００５３】
図３は、ｅＮＢ２００のブロック図である。図３に示すように、ｅＮＢ２００は、複数のアンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００５４】
アンテナ２０１及び無線送受信機２１０は、無線信号の送受信に用いられる。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００５５】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信と、Ｓ１インターフェイス上で行う通信と、に用いられる。
【００５６】
メモリ２３０は、プロセッサ２４０によって実行されるプログラムと、プロセッサ２４０による処理に使用される情報と、を記憶する。
【００５７】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５８】
本実施形態では、プロセッサ２４０は、プリコーダ行列及びランクを適用して下りリンク・マルチアンテナ伝送を行う。図４は、下りリンク・マルチアンテナ伝送に関連するプロセッサ２４０のブロック図である。各ブロックの詳細は例えば３ＧＰＰ  ＴＳ  ３６．２１１に記載されているが、ここではその概要を説明する。
【００５９】
図４に示すように、物理チャネル上で送信すべき１つ又は２つのコードワードは、スクランブルされ、かつ変調シンボルに変調された後、レイヤマッパ２４１によって複数のレイヤにマッピングされる。コードワードは、誤り訂正のデータ単位である。ランク（レイヤ数）は、フィードバックされるＲＩに基づいて定められる。
【００６０】
プリコーダ２４２は、プリコーダ行列を用いて、各レイヤの変調シンボルをプリコーディングする。プリコーダ行列は、フィードバックされるＰＭＩに基づいて定められる。プリコーディングされた変調シンボルは、リソースエレメントにマッピングされ、かつ時間領域のＯＦＤＭ信号に変換されて、各アンテナポートに出力される。
【００６１】
図５は、ＬＴＥシステムにおける無線インターフェイスのプロトコルスタック図である。
【００６２】
図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００６３】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００６４】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを決定するスケジューラを含む。
【００６５】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００６６】
ＰＤＣＰレイヤは、ヘッダ圧縮・伸張、及び暗号化・復号化を行う。
【００６７】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  Ｃｏｎｎｅｃｔｅｄ  Ｓｔａｔｅ）であり、そうでない場合、ＵＥ１００はアイドル状態（ＲＲＣ  Ｉｄｌｅ  Ｓｔａｔｅ）である。
【００６８】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６９】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００７０】
複信方式としては、ＦＤＤ（Ｆｒｅｑｕｅｎｃｙ  Ｄｉｖｉｓｉｏｎ  Ｄｕｐｌｅｘ）方式又はＴＤＤ（Ｔｉｍｅ  Ｄｉｖｉｓｉｏｎ  Ｄｕｐｌｅｘ）方式が使用されるが、本実施形態では主としてＦＤＤ方式を想定する。
【００７１】
図６に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００７２】
ＵＥ１００に割り当てられる無線リソースのうち、周波数リソースはリソースブロックにより特定でき、時間リソースはサブフレーム（又はスロット）により特定できる。
【００７３】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）などの参照信号が分散して配置される。
【００７４】
ＰＤＣＣＨは、制御情報を搬送する。制御情報は、例えば、上りリンクＳＩ（Ｓｃｈｅｄｕｌｉｎｇ  Ｉｎｆｏｒｍａｔｉｏｎ）、下りリンクＳＩ、ＴＰＣビットである。上りリンクＳＩは上りリンクの無線リソースの割当てを示す情報であり、下りリンクＳＩは、下りリンクの無線リソースの割当てを示す情報である。ＴＰＣビットは、上りリンクの送信電力の増減を指示する情報である。
【００７５】
ＰＤＳＣＨは、制御情報及び／又はユーザデータを搬送する。例えば、下りリンクのデータ領域は、ユーザデータにのみ割当てられてもよく、ユーザデータ及び制御情報が多重されるように割当てられてもよい。
【００７６】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００７７】
ＰＵＣＣＨは、制御情報を搬送する。制御情報は、例えば、ＣＱＩ、ＰＭＩ、ＲＩ、ＳＲ（Ｓｃｈｅｄｕｌｉｎｇ  Ｒｅｑｕｅｓｔ）、ＡＣＫ／ＮＡＣＫなどである。
【００７８】
ＣＱＩは、下りリンクの受信状態に基づく、下りリンクで用いるのに好ましい変調及び符号化方式（すなわち、推奨ＭＣＳ）を示す情報（インデックス）である。
【００７９】
ＰＭＩは、下りリンクで用いるのに好ましいプリコーダ行列を示す情報（インデックス）である。言い換えると、ＰＭＩは、当該ＰＭＩの送信元のＵＥに対してビームが向くプリコーダ行列を示す。例えば、ＵＥ１００は、自身の受信状態が改善されるように、ｅＮＢ２００にフィードバックするＰＭＩを選択する。
【００８０】
ＲＩは、下りリンクで用いるのに好ましいランクを示す情報（インデックス）である。例えば、ＵＥ１００は、自身の受信状態に相応しいランクが適用されるように、ｅＮＢ２００にフィードバックするＰＭＩを選択する。
【００８１】
ＳＲは、上りリンクの無線リソースの割当てを要求する情報である。
【００８２】
ＡＣＫ／ＮＡＣＫは、下りリンクの物理チャネル（例えば、ＰＤＳＣＨ）を介して送信される信号のデコードに成功したか否かを示す情報である。
【００８３】
ＰＵＳＣＨは、制御情報及び／又はユーザデータを搬送する物理チャネルである。例えば、上りリンクのデータ領域は、ユーザデータにのみ割当てられてもよく、ユーザデータ及び制御情報が多重されるように割当てられてもよい。
【００８４】
（第１実施形態に係る動作）
以下、本実施形態に係る動作について説明する。
【００８５】
（１）全体動作
図７及び図８は、本実施形態に係る動作環境を示す図である。図７及び図８において、ｅＮＢ２００−１及びｅＮＢ２００−２は、互いに隣接するセルを構成する。
【００８６】
図７に示すように、ＵＥ１００−１は、ｅＮＢ２００−１のセルとの接続を確立している。すなわち、ＵＥ１００−１は、ｅＮＢ２００−１のセルをサービングセルとして通信を行う。
【００８７】
本実施形態では、ＵＥ１００−１は、ｅＮＢ２００−１及びｅＮＢ２００−２のそれぞれのセルの境界領域に位置している。このような場合には、通常、ＵＥ１００−１は、ｅＮＢ２００−２のセルからの干渉の影響を受ける。
【００８８】
ＵＥ１００−２は、ｅＮＢ２００−２のセルとの接続を確立している。すなわち、ＵＥ１００−２は、ｅＮＢ２００−２のセルをサービングセルとして通信を行う。なお、図７ではＵＥ１００−２を１つのみ図示しているが、複数のＵＥ１００−２がｅＮＢ２００−２のセルとの接続を確立していてもよい。
【００８９】
ｅＮＢ２００−１及びｅＮＢ２００−２は、ｅＮＢ２００−１のセル端に位置するＵＥ１００−１のスループットを改善するために、ＣＢ（Ｃｏｏｒｄｉｎａｔｅｄ  Ｂｅａｍｆｏｒｍｉｎｇ）−ＣｏＭＰ（Ｃｏｏｒｄｉｎａｔｅｄ  Ｍｕｌｔｉ  Ｐｏｉｎｔ）を行う。ＣＢ−ＣｏＭＰにおいて、ＵＥ１００−１のサービングセルは「アンカーセル」と称される。
【００９０】
また、ＣＢ−ＣｏＭＰにおいて、主な干渉源となるｅＮＢ２００−２は、ＵＥ１００−１に対して与える干渉の影響を小さくするように送信指向性を調整する。具体的には、ｅＮＢ２００−２は、ＵＥ１００−１にヌルを向けつつ、ＵＥ１００−２にビームを向けて、ＵＥ１００−２への送信を行う。
【００９１】
ＣＢ−ＣｏＭＰの対象となるＵＥ１００−１は、ｅＮＢ２００−１に対する通常のフィードバック（ＰＭＩ、ＲＩ、及びＣＱＩ）に加えて、ｅＮＢ２００−２に対する特殊なフィードバックを行う。本実施形態では、ＵＥ１００−１は、ｅＮＢ２００−２に対して特殊なＰＭＩをフィードバックする。
【００９２】
通常のＰＭＩは、ＵＥ１００−１への下りリンク・マルチアンテナ伝送に適用されるプリコーダ行列を決定するために使用され、かつ、ＵＥ１００−１にとって好ましいプリコーダ行列（ＵＥ１００−１にビームが向くプリコーダ行列）を示す情報（インデックス）である。ＵＥ１００−１は、ｅＮＢ２００−１から受信する参照信号などに基づいて通常のＰＭＩのフィードバックを行う。
【００９３】
これに対し、特殊なＰＭＩは、ＵＥ１００−１以外のＵＥ１００（例えばＵＥ１００−２）への下りリンク・マルチアンテナ伝送に適用されるプリコーダ行列を決定するために使用され、かつ、ＵＥ１００−１にとって好ましいプリコーダ行列（すなわち、ＵＥ１００−１にヌルが向くプリコーダ行列）を示す情報（インデックス）である。このようなＰＭＩは、ＢＣ（Ｂｅｓｔ  Ｃｏｍｐａｎｉｏｎ）−ＰＭＩと称される。本実施形態において、ＢＣ−ＰＭＩは、第１のプリコーダ行列情報に相当する。
【００９４】
ＵＥ１００−１は、ｅＮＢ２００−２から受信する参照信号などに基づいてＢＣ−ＰＭＩのフィードバックを行う。なお、ＵＥ１００−１は、ＢＣ−ＰＭＩを、サービングセル（ｅＮＢ２００−１）経由でｅＮＢ２００−２にフィードバックしてもよく、ｅＮＢ２００−２に直接フィードバックしてもよい。
【００９５】
本実施形態では、ＵＥ１００−１は、フィードバック対象となる周波数単位（対象周波数帯）について複数のＢＣ−ＰＭＩをフィードバックする。複数のＢＣ−ＰＭＩは、例えば、ｅＮＢ２００−２からの干渉の影響が閾値未満のＰＭＩ（ＢＣ−ＰＭＩ）である。
【００９６】
ｅＮＢ２００−２は、ＵＥ１００−１からフィードバックされた複数のＢＣ−ＰＭＩの何れかと一致するＰＭＩをフィードバックする自セル内のＵＥ１００−２に対して、ＵＥ１００−１と同一の無線リソースを割り当てる。なお、ｅＮＢ２００−２は、ＵＥ１００−１のスケジューリング情報を動的又は準静的にｅＮＢ２００−１と共有していることを前提としている。そして、ｅＮＢ２００−２は、当該一致するＰＭＩに従ってＵＥ１００−２への送信を行う。
【００９７】
その結果、図８に示すように、ｅＮＢ２００−２は、ＵＥ１００−１にヌルを向けつつ、ＵＥ１００−２にビームを向けて、ＵＥ１００−２への送信を行うことができる。これにより、ＵＥ１００−１に対する干渉を抑圧し、ＵＥ１００−１のスループットを改善できる。
【００９８】
一方、ｅＮＢ２００−２は、ＵＥ１００−１からフィードバックされた複数のＢＣ−ＰＭＩの何れかと一致するＰＭＩをフィードバックする自セル内のＵＥ１００−２が存在しない場合には、ＵＥ１００−１と同一の無線リソースへの割当を行わない、又は一致していないＰＭＩであっても割当を行う、の２通りの動作が考えられる。
【００９９】
なお、ｅＮＢ２００−１は、ＵＥ１００−１からフィードバックされた通常のＰＭＩに従ってＵＥ１００−１への送信を行う。その結果、ｅＮＢ２００−１は、ＵＥ１００−１にビームを向けることができる。
【０１００】
しかしながら、上述したＣＢ−ＣｏＭＰの動作において、ＵＥ１００−１がフィードバックするＢＣ−ＰＭＩの数が多い場合には、フィードバックすべき情報量が多くなり、無線リソースの消費量が多くなるという問題がある。
【０１０１】
そこで、本実施形態では、ＵＥ１００−１は、ＢＣ−ＰＭＩをｅＮＢ２００−２に複数フィードバックしており、且つ、ＢＣ−ＰＭＩの数が閾値Ｔｃ以上である場合に、ｅＮＢ２００−２にフィードバックするＰＭＩをＷＣ（Ｗｏｒｓｔ  Ｃｏｍｐａｎｉｏｎ）−ＰＭＩに切り替える。ＷＣ−ＰＭＩは、ＵＥ１００−１以外のＵＥ１００（例えばＵＥ１００−２）への下りリンク・マルチアンテナ伝送に適用されるプリコーダ行列を決定するために使用され、かつ、ＵＥ１００−１にとって好ましくないプリコーダ行列（すなわち、ＵＥ１００−１にビームが向くプリコーダ行列）を示す情報（インデックス）である。本実施形態において、ＷＣ−ＰＭＩは、第２のプリコーダ行列情報に相当する。
【０１０２】
ＢＣ−ＰＭＩの数が閾値Ｔｃ以上である場合（すなわち、好ましいプリコーダ行列を多数通知する状況）においては、好ましくないプリコーダ行列は逆に少なくなる。よって、そのような状況下では、フィードバックするＰＭＩをＷＣ−ＰＭＩに切り替える（すなわち、好ましくないプリコーダ行列を通知するよう切り替える）ことにより、フィードバックすべき情報量を少なくすることができる。
【０１０３】
なお、閾値Ｔｃは、ＵＥ１００−１に予め設定されていてもよく、ｅＮＢ２００−１又はｅＮＢ２００−２からＵＥ１００−１に設定してもよい。閾値ＴｃがＵＥ１００−１に予め設定されている場合、閾値Ｔｃは、例えば全ＰＭＩ数の１／２の値とすることができる。以下においては、ｅＮＢ２００−１又はｅＮＢ２００−２がＵＥ１００−１に閾値Ｔｃを設定するケースを説明する。
【０１０４】
ＵＥ１００−１がＷＣ−ＰＭＩをフィードバックする場合のｅＮＢ２００−２の動作は、次のようになる。具体的には、ｅＮＢ２００−２は、フィードバックされるＷＣ−ＰＭＩと一致しないＰＭＩをフィードバックするＵＥ１００−２に対して、ＵＥ１００−１と同一の無線リソースを割り当てて、当該一致しないＰＭＩに従ってＵＥ１００−２への送信を行う。
【０１０５】
その結果、図８に示すように、ｅＮＢ２００−２は、ＵＥ１００−１にビームが向かないようにしつつ、ＵＥ１００−２にビームを向けて、ＵＥ１００−２への送信を行うことができる。これにより、ＵＥ１００−１に対する干渉を抑圧し、ＵＥ１００−１のスループットを改善できる。
【０１０６】
また、本実施形態では、ＵＥ１００−１は、ＢＣ−ＰＭＩ又はＷＣ−ＰＭＩを選択的にフィードバックするため、ｅＮＢ２００−２において、ＵＥ１００−１からフィードバックされたＰＭＩがＢＣ−ＰＭＩであるかＷＣ−ＰＭＩであるかを識別できるようにする必要がある。
【０１０７】
よって、ＵＥ１００−１は、ＢＣ−ＰＭＩを選択した場合に、ｅＮＢ２００−２にフィードバックするＰＭＩがＢＣ−ＰＭＩであることを示す第１の識別情報を当該ＢＣ−ＰＭＩに付加してｅＮＢ２００−２にフィードバックする。
【０１０８】
これに対し、ＵＥ１００−１は、ＷＣ−ＰＭＩを選択した場合に、ｅＮＢ２００−２にフィードバックするＰＭＩがＷＣ−ＰＭＩであることを示す第２の識別情報を当該ＷＣ−ＰＭＩに付加してｅＮＢ２００−２にフィードバックする。
【０１０９】
（２）動作フロー
図９は、本実施形態に係るＵＥ１００−１の動作フロー図である。ここでは、サブバンド毎にＢＣ−ＰＭＩをフィードバックするのではなく、下りリンク全帯域についてＢＣ−ＰＭＩをフィードバックするケースを想定する。
【０１１０】
図９に示すように、ステップＳ１０１において、ＵＥ１００−１は、閾値Ｔｃを示す情報をｅＮＢ２００−１又はｅＮＢ２００−２から受信して記憶する。例えば、閾値Ｔｃを示す情報は、システム情報の一部として送信されている。システム情報は、論理チャネルの一種であるＢＣＣＨで伝送される。システム情報のうちマスタ情報ブロック（ＭＩＢ）は、トランスポートチャネルの一種であるＢＣＨにマッピングされる。システム情報のうちシステム情報ブロック（ＳＩＢ）は、トランスポートチャネルの一種であるＤＬ−ＳＣＨにマッピングされる。
【０１１１】
ステップＳ１０２において、ＵＥ１００−１は、ｅＮＢ２００−２から受信する参照信号などに基づいて、予め規定された複数のＰＭＩ（コードブック内のＰＭＩ）のそれぞれの評価値を計算する。本実施形態では、ＰＭＩの評価値は、当該ＰＭＩを適用した場合に想定される干渉レベルである。そして、ＵＥ１００−１は、干渉レベルが低い複数のＰＭＩをＢＣ−ＰＭＩとして取得する。ここで取得されたＢＣ−ＰＭＩの個数をＮｂｃｐｍｉとする。
【０１１２】
ステップＳ１０３において、ＵＥ１００−１は、Ｎｂｃｐｍｉが閾値Ｔｃ以上であるか否かを判定する。
【０１１３】
ステップＳ１０３の判定結果が「Ｎｏ」である場合、ステップＳ１０４において、ＵＥ１００−１は、ステップＳ１０２で取得した複数のＢＣ−ＰＭＩをｅＮＢ２００−２へのフィードバックメッセージに設定する。また、ＵＥ１００−１は、ＢＣ−ＰＭＩを識別する第１の識別子として、当該フィードバックメッセージのフラグフィールドに「０」を設定する。さらに、ＵＥ１００−１は、Ｎｂｃｐｍｉの値を当該フィードバックメッセージのデータ長（Ｌｅｎｇｔｈ）フィールドに設定する。
【０１１４】
一方、ステップＳ１０３の判定結果が「Ｙｅｓ」である場合、ステップＳ１０５において、ＵＥ１００−１は、ＢＣ−ＰＭＩに代えてＷＣ−ＰＭＩを取得する。例えば、ＵＥ１００−１は、予め規定された複数のＰＭＩの中から、干渉レベルが高い複数のＰＭＩをＷＣ−ＰＭＩとして取得する。或いは、ＵＥ１００−１は、予め規定された複数のＰＭＩのうち、ステップＳ１０２で取得したＢＣ−ＰＭＩを除いたＰＭＩをＷＣ−ＰＭＩとして取得してもよい。ここで取得されたＷＣ−ＰＭＩの個数をＮｐｍｉとする。
【０１１５】
そして、ステップＳ１０６において、ＵＥ１００−１は、ステップＳ１０５で取得したＷＣ−ＰＭＩをｅＮＢ２００−２へのフィードバックメッセージに設定する。また、ＵＥ１００−１は、ＷＣ−ＰＭＩを識別する第２の識別子として、当該フィードバックメッセージのフラグフィールドに「１」を設定する。さらに、ＵＥ１００−１は、Ｎｐｍｉの値を当該フィードバックメッセージのデータ長（Ｌｅｎｇｔｈ）フィールドに設定する。
【０１１６】
ステップＳ１０７において、ＵＥ１００−１は、フィードバックメッセージをｅＮＢ２００−２にフィードバックする。フィードバックメッセージをｅＮＢ２００−１経由でｅＮＢ２００−２にフィードバックする場合、ＵＥ１００−１は、ｅＮＢ２００−２宛てのフィードバックメッセージをｅＮＢ２００−１に送信する。
【０１１７】
なお、サブバンド毎にＢＣ−ＰＭＩをフィードバックするケースでは、ステップＳ１０２乃至Ｓ１０６の処理はサブバンド毎に行われることになる。
【０１１８】
図１０は、本実施形態に係るフィードバックメッセージのメッセージ構成図である。
【０１１９】
図１０に示すように、本実施形態に係るフィードバックメッセージは、フィードバックするＰＭＩ（ＢＣ−ＰＭＩ又はＷＣ−ＰＭＩ）を格納するフィールドに加えて、ＢＣ−ＰＭＩ又はＷＣ−ＰＭＩを示すフラグ（Ｂ／Ｗｆｌａｇ）フィールドと、フィードバックするＰＭＩ数を示すデータ長（Ｌｅｎｇｔｈ）フィールドと、を有する。
【０１２０】
上述したように、本実施形態によれば、ｅＮＢ２００−２にフィードバックするＢＣ−ＰＭＩが閾値Ｔｃ以上である場合に、ＷＣ−ＰＭＩに切り替えることにより、フィードバックすべき情報量を少なくすることができる。
【０１２１】
［第２実施形態］
以下、第２実施形態について、第１実施形態との相違点を主として説明する。
【０１２２】
上述した第１実施形態では、基本的には、ＵＥ１００−１は、複数のＢＣ−ＰＭＩをｅＮＢ２００−２にフィードバックしていた。しかしながら、ｅＮＢ２００−２の送信指向性はランクの影響を受けるため、ランクも考慮してフィードバックを行うことが望ましい。
【０１２３】
そこで、本実施形態では、ＵＥ１００−１は、予め規定された複数のＲＩ毎に、ＢＣ−ＰＭＩをｅＮＢ２００−２にフィードバックする。すなわち、ＵＥ１００−１は、ＲＩとＢＣ−ＰＭＩとの組み合わせをｅＮＢ２００−２にフィードバックする。本実施形態において、ＲＩは、ランク情報に相当する。
【０１２４】
ｅＮＢ２００−２に対するフィードバックメッセージは、ｅＮＢ２００−２がＵＥ１００−１に対して与える干渉の影響が小さいＢＣ−ＰＭＩ及びＲＩの組み合わせを複数含む。なお、ＢＣ−ＰＭＩ及びＲＩのフィードバックをサブバンド毎に行う設定の場合には、１つのサブバンドについてＢＣ−ＰＭＩ及びＲＩの組み合わせを複数含むことになる。
【０１２５】
ｅＮＢ２００−２は、ＵＥ１００−１からフィードバックされたＢＣ−ＰＭＩ及びＲＩの組み合わせの何れかと一致するＰＭＩ及びＲＩをフィードバックする自セル内のＵＥ１００−２に対して、ＵＥ１００−１と同一の無線リソースを割り当てる。そして、ｅＮＢ２００−２は、当該一致するＰＭＩ及びＲＩに従ってＵＥ１００−２への送信を行う。
【０１２６】
しかしながら、このようなＣＢ−ＣｏＭＰの動作において、ＵＥ１００−１がフィードバックするＢＣ−ＰＭＩの数が多い場合には、第１実施形態と同様に、フィードバックすべき情報量が多くなり、無線リソースの消費量が多くなるという問題がある。
【０１２７】
そこで、本実施形態では、ＵＥ１００−１は、ＢＣ−ＰＭＩをＲＩ毎にｅＮＢ２００−２に複数フィードバックしており、且つ、１つのＲＩについてのＢＣ−ＰＭＩの数が閾値Ｔｃ以上である場合に、当該ＲＩについてのＰＭＩをＷＣ（Ｗｏｒｓｔ  Ｃｏｍｐａｎｉｏｎ）−ＰＭＩに切り替える。
【０１２８】
図１１は、本実施形態に係るＵＥ１００−１の動作フロー図である。ここでは、サブバンド毎にＢＣ−ＰＭＩをフィードバックするのではなく、下りリンク全帯域についてＢＣ−ＰＭＩをフィードバックするケースを想定する。また、第１実施形態と重複する動作については説明を省略する。
【０１２９】
図１１に示すように、ステップＳ２０１において、ＵＥ１００−１は、閾値Ｔｃを示す情報をｅＮＢ２００−１又はｅＮＢ２００−２から受信して記憶する。
【０１３０】
ステップＳ２０２乃至ステップＳ２０６の処理はＲＩ毎に行われる。
【０１３１】
ステップＳ２０２において、ＵＥ１００−１は、ｅＮＢ２００−２から受信する参照信号などに基づいて、干渉レベルが低い複数のＰＭＩをＢＣ−ＰＭＩとして取得する。ここで取得されたＢＣ−ＰＭＩの個数をＮｂｃｐｍｉとする。
【０１３２】
ステップＳ２０３において、ＵＥ１００−１は、Ｎｂｃｐｍｉが閾値Ｔｃ以上であるか否かを判定する。
【０１３３】
ステップＳ２０３の判定結果が「Ｎｏ」である場合、ステップＳ２０４において、ＵＥ１００−１は、ステップＳ２０２で取得した複数のＢＣ−ＰＭＩを、対象ＲＩと対応付けてｅＮＢ２００−２へのフィードバックメッセージに設定する。また、ＵＥ１００−１は、ＢＣ−ＰＭＩを識別する第１の識別子として、対象ＲＩと対応付けて当該フィードバックメッセージのフラグフィールドに「０」を設定する。さらに、ＵＥ１００−１は、Ｎｂｃｐｍｉの値を対象ＲＩと対応付けて当該フィードバックメッセージのデータ長（Ｌｅｎｇｔｈ）フィールドに設定する。
【０１３４】
一方、ステップＳ２０３の判定結果が「Ｙｅｓ」である場合、ステップＳ２０５において、ＵＥ１００−１は、ＢＣ−ＰＭＩに代えてＷＣ−ＰＭＩを取得する。ここで取得されたＷＣ−ＰＭＩの個数をＮｐｍｉとする。
【０１３５】
そして、ステップＳ２０６において、ＵＥ１００−１は、ステップＳ２０５で取得したＷＣ−ＰＭＩを、対象ＲＩと対応付けてｅＮＢ２００−２へのフィードバックメッセージに設定する。また、ＵＥ１００−１は、ＷＣ−ＰＭＩを識別する第２の識別子として、対象ＲＩと対応付けて当該フィードバックメッセージのフラグフィールドに「１」を設定する。さらに、ＵＥ１００−１は、Ｎｐｍｉの値を対象ＲＩと対応付けて当該フィードバックメッセージのデータ長（Ｌｅｎｇｔｈ）フィールドに設定する。
【０１３６】
ステップＳ２０７において、ＵＥ１００−１は、フィードバックメッセージをｅＮＢ２００−２にフィードバックする。
【０１３７】
図１２は、本実施形態に係るフィードバックメッセージのメッセージ構成図である。
【０１３８】
図１２に示すように、本実施形態に係るフィードバックメッセージは、フィードバックするＰＭＩ（ＢＣ−ＰＭＩ又はＷＣ−ＰＭＩ）を格納するフィールドと、ＢＣ−ＰＭＩ又はＷＣ−ＰＭＩを示すフラグ（Ｂ／Ｗｆｌａｇ）フィールドと、フィードバックするＰＭＩ数を示すデータ長（Ｌｅｎｇｔｈ）フィールドと、をＲＩ毎に有する。図１２の例では、ＲＩ「０」及び「ｍ」についてはＢＣ−ＰＭＩを格納し、ＲＩ「１」及び「２」についてはＷＣ−ＰＭＩを格納している。
【０１３９】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４０】
上述した実施形態では、ＢＣ−ＰＭＩのフィードバックを基本として、ＢＣ−ＰＭＩからＷＣ−ＰＭＩへ切り替える動作を説明した。しかしながら、ＷＣ−ＰＭＩのフィードバックを基本として、ＷＣ−ＰＭＩからＢＣ−ＰＭＩへ切り替える動作であってもよい。この場合、上述した動作フローにおける「ＢＣ−ＰＭＩ」及び「ＷＣ−ＰＭＩ」の関係を入れ替えればよい。つまり、ＵＥ１００−１は、ＷＣ−ＰＭＩをｅＮＢ２００−２に複数フィードバックしており、且つ、当該ＷＣ−ＰＭＩの数が閾値Ｔｃ以上である場合に、ｅＮＢ２００−２にフィードバックするＰＭＩをＢＣ−ＰＭＩに切り替える。
【０１４１】
上述した実施形態では、ＣＢ−ＣｏＭＰにおいて、ＢＣ−ＰＭＩ（又はＷＣ−ＰＭＩ）をフィードバックする動作について説明した。しかしながら、本発明は、ＣＢ−ＣｏＭＰに限らず、ＭＵ（Ｍｕｌｔｉ  Ｕｓｅｒ）−ＭＩＭＯ（Ｍｕｌｔｉｐｌｅ  Ｉｎｐｕｔ  Ｍｕｌｔｉｐｌｅ  Ｏｕｔｐｕｔ）にも適用可能である。
【０１４２】
図１３及び図１４は、その他の実施形態に係る動作環境を示す図である。
【０１４３】
図１３に示すように、ＵＥ１００−１及びＵＥ１００−２は、ｅＮＢ２００のセルとの接続を確立している。すなわち、ＵＥ１００−１及びＵＥ１００−２は、ｅＮＢ２００のセルをサービングセルとして通信を行う。
【０１４４】
ｅＮＢ２００は、周波数利用効率を高めるために、ＭＵ−ＭＩＭＯを行う。具体的には、ｅＮＢ２００は、同一の無線リソースを用いてＵＥ１００−１及びＵＥ１００−２への送信を行う。
【０１４５】
ＵＥ１００−１は、ｅＮＢ２００に対する通常のフィードバック（ＰＭＩ、ＲＩ、及びＣＱＩ）に加えて、ＢＣ−ＰＭＩをｅＮＢ２００にフィードバックする。ｅＮＢ２００は、ＵＥ１００−１からフィードバックされたＢＣ−ＰＭＩと一致するＰＭＩをフィードバックするＵＥ１００−２に対して、ＵＥ１００−１と同一の無線リソースを割り当てる。そして、ｅＮＢ２００は、当該一致するＰＭＩに従ってＵＥ１００−２への送信を行う。
【０１４６】
その結果、図１４に示すように、ｅＮＢ２００は、ＵＥ１００−１にヌルを向けつつ、ＵＥ１００−２にビームを向けて、ＵＥ１００−２への送信を行うことができる。また、ｅＮＢ２００は、ＵＥ１００−１からフィードバックされた通常のＰＭＩに従ってＵＥ１００−１への送信を行う。その結果、ｅＮＢ２００は、ＵＥ１００−１にビームを向けることができる。
【０１４７】
このようなＭＵ−ＭＩＭＯの動作環境においても、上述した動作フローが適用できる。具体的には、フィードバックメッセージのフィードバック先をｅＮＢ２００（サービングセル）とすればよい。
【０１４８】
米国仮出願第６１／７２３０３７号（２０１２年１１月６日出願）の全内容が、参照により、本願明細書に組み込まれている。
【産業上の利用可能性】
【０１４９】
本発明は、移動通信分野において有用である。
【図１】
2014073488.tif 000003
【図２】
2014073488.tif 000004
【図３】
2014073488.tif 000005
【図４】
2014073488.tif 000006
【図５】
2014073488.tif 000007
【図６】
2014073488.tif 000008
【図７】
2014073488.tif 000009
【図８】
2014073488.tif 000010
【図９】
2014073488.tif 000011
【図１０】
2014073488.tif 000012
【図１１】
2014073488.tif 000013
【図１２】
2014073488.tif 000014
【図１３】
2014073488.tif 000015
【図１４】
2014073488.tif 000016
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
第１のプリコーダ行列情報及び第２のプリコーダ行列情報のうちのいずれか一方を基地局にフィードバックする第１のユーザ端末と、
前記フィードバックされたプリコーダ行列情報に基づいて、第２のユーザ端末への下りリンク・マルチアンテナ伝送に適用するプリコーダ行列を決定する前記基地局と、を有し、
前記第１のプリコーダ行列情報は、前記第１のユーザ端末にとって好ましい前記プリコーダ行列を示し、
前記第２のプリコーダ行列情報は、前記第１のユーザ端末にとって好ましくない前記プリコーダ行列を示すことを特徴とする移動通信システム。
【請求項２】
前記第１のユーザ端末は、前記第１のプリコーダ行列情報の数が閾値以上である場合に、前記基地局にフィードバックする前記プリコーダ行列情報を前記第２のプリコーダ行列情報に切り替えることを特徴とする請求項１に記載の移動通信システム。
【請求項３】
前記第１のユーザ端末は、前記第２のプリコーダ行列情報の数が閾値以上である場合に、前記基地局にフィードバックする前記プリコーダ行列情報を前記第１のプリコーダ行列情報に切り替えることを特徴とする請求項１に記載の移動通信システム。
【請求項４】
前記第１のユーザ端末は、前記第１のプリコーダ行列情報を前記基地局にフィードバックする場合に、前記第１のプリコーダ行列情報であることを示す第１の識別情報を当該第１のプリコーダ行列情報に付加することを特徴とする請求項１に記載の移動通信システム。
【請求項５】
前記第１のユーザ端末は、前記第２のプリコーダ行列情報を前記基地局にフィードバックする場合に、前記第２のプリコーダ行列情報であることを示す第２の識別情報を当該第２のプリコーダ行列情報に付加することを特徴とする請求項１に記載の移動通信システム。
【請求項６】
前記基地局は、下りリンクの信号系列数を定めるランクをさらに適用して前記下りリンク・マルチアンテナ伝送を行っており、
前記第１のユーザ端末は、複数のランク情報のそれぞれについて、前記第１のプリコーダ行列情報又は前記第２のプリコーダ行列情報を前記基地局にフィードバックすることを特徴とする請求項１に記載の移動通信システム。
【請求項７】
前記基地局は、前記第１のユーザ端末から前記第１のプリコーダ行列情報がフィードバックされた場合に、前記第１のプリコーダ行列情報と一致するプリコーダ行列情報をフィードバックする前記第２のユーザ端末に対して、前記第１のユーザ端末と同一の無線リソースを割り当てて、前記一致するプリコーダ行列情報に従って前記第２のユーザ端末への下りリンク・マルチアンテナ伝送を行うことを特徴とする請求項１に記載の移動通信システム。
【請求項８】
前記基地局は、前記第１のユーザ端末から前記第２のプリコーダ行列情報がフィードバックされた場合に、前記第２のプリコーダ行列情報と一致しないプリコーダ行列情報をフィードバックする前記第２のユーザ端末に対して、前記第１のユーザ端末と同一の無線リソースを割り当てて、前記一致しないプリコーダ行列情報に従って前記第２のユーザ端末への下りリンク・マルチアンテナ伝送を行うことを特徴とする請求項１に記載の移動通信システム。
【請求項９】
前記基地局は、前記第１のユーザ端末のサービングセルに隣接するセルを制御することを特徴とする請求項１に記載の移動通信システム。
【請求項１０】
前記基地局は、前記第１のユーザ端末のサービングセルを制御することを特徴とする請求項１に記載の移動通信システム。
【請求項１１】
基地局に第１のプリコーダ行列情報及び第２のプリコーダ行列情報のうちのいずれか一方をフィードバックする制御部を有し、
前記フィードバックされたプリコーダ行列情報は、前記基地局が、他のユーザ端末への下りリンク・マルチアンテナ伝送に適用するプリコーダ行列を決定する際に参照する情報であり、
前記第１のプリコーダ行列情報は、自ユーザ端末にとって好ましい前記プリコーダ行列を示し、
前記第２のプリコーダ行列情報は、自ユーザ端末にとって好ましくない前記プリコーダ行列を示すことを特徴とするユーザ端末。
【請求項１２】
ユーザ端末を制御するプロセッサであって、
前記プロセッサは、第１のプリコーダ行列情報及び第２のプリコーダ行列情報のうちのいずれか一方を基地局にフィードバックし、
前記フィードバックされたプリコーダ行列情報は、前記基地局が、他のユーザ端末への下りリンク・マルチアンテナ伝送に適用するプリコーダ行列を決定する際に参照する情報であり、
前記第１のプリコーダ行列情報は、前記ユーザ端末にとって好ましい前記プリコーダ行列を示し、
前記第２のプリコーダ行列情報は、前記ユーザ端末にとって好ましくない前記プリコーダ行列を示すことを特徴とするプロセッサ。
【手続補正２】
【補正対象書類名】明細書
【補正対象項目名】０００８
【補正方法】変更
【補正の内容】
【０００８】
一実施形態によれば、移動通信システムは、第１のプリコーダ行列情報及び第２のプリコーダ行列情報のうちのいずれか一方を基地局にフィードバックする第１のユーザ端末と、前記フィードバックされたプリコーダ行列情報に基づいて、第２のユーザ端末への下りリンク・マルチアンテナ伝送に適用するプリコーダ行列を決定する前記基地局と、を有する。前記第１のプリコーダ行列情報は、前記第１のユーザ端末にとって好ましい前記プリコーダ行列を示す。前記第２のプリコーダ行列情報は、前記第１のユーザ端末にとって好ましくない前記プリコーダ行列を示す。
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
所定のプリコーダ行列情報を基地局にフィードバックする第１のユーザ端末と、
前記所定のプリコーダ行列情報に基づいて、第２のユーザ端末への下りリンク・マルチアンテナ伝送に適用するプリコーダ行列を決定する前記基地局と、を有し、
前記所定のプリコーダ行列情報は、前記第１のユーザ端末にとって好ましくない前記プリコーダ行列を示すと共に前記第１のユーザ端末に対してビームが向く前記プリコーダ行列を示すことを特徴とする移動通信システム。
【請求項２】
前記第１のユーザ端末は、前記所定のプリコーダ行列情報を前記基地局にフィードバックする場合に、前記所定のプリコーダ行列情報であることを示す識別情報を当該所定のプリコーダ行列情報に付加することを特徴とする請求項１に記載の移動通信システム。
【請求項３】
前記基地局は、下りリンクの信号系列数を定めるランクをさらに適用して前記下りリンク・マルチアンテナ伝送を行っており、
前記第１のユーザ端末は、複数のランク情報のそれぞれについて、前記所定のプリコーダ行列情報を前記基地局にフィードバックすることを特徴とする請求項１に記載の移動通信システム。
【請求項４】
前記基地局は、前記第１のユーザ端末から前記所定のプリコーダ行列情報がフィードバックされた場合に、前記所定のプリコーダ行列情報と一致しないプリコーダ行列情報をフィードバックする前記第２のユーザ端末に対して、前記第１のユーザ端末と同一の無線リソースを割り当てて、前記一致しないプリコーダ行列情報に従って前記第２のユーザ端末への下りリンク・マルチアンテナ伝送を行うことを特徴とする請求項１に記載の移動通信システム。
【請求項５】
前記基地局は、前記第１のユーザ端末のサービングセルに隣接するセルを制御することを特徴とする請求項１に記載の移動通信システム。
【請求項６】
前記基地局は、前記第１のユーザ端末のサービングセルを制御することを特徴とする請求項１に記載の移動通信システム。
【請求項７】
基地局に所定のプリコーダ行列情報のうちのいずれか一方をフィードバックする処理を実行する制御部を有し、
前記所定のプリコーダ行列情報は、前記基地局が、他のユーザ端末への下りリンク・マルチアンテナ伝送に適用するプリコーダ行列を決定する際に参照する情報であり、
前記所定のプリコーダ行列情報は、自ユーザ端末にとって好ましくない前記プリコーダ行列を示すと共に前記第１のユーザ端末に対してビームが向く前記プリコーダ行列を示すことを特徴とするユーザ端末。
【請求項８】
ユーザ端末を制御するプロセッサであって、
所定のプリコーダ行列情報のうちのいずれか一方を基地局にフィードバックする処理を実行し、
前記所定のプリコーダ行列情報は、前記基地局が、他のユーザ端末への下りリンク・マルチアンテナ伝送に適用するプリコーダ行列を決定する際に参照する情報であり、
前記所定のプリコーダ行列情報は、前記ユーザ端末にとって好ましくない前記プリコーダ行列を示すと共に前記第１のユーザ端末に対してビームが向く前記プリコーダ行列を示すことを特徴とするプロセッサ。
【請求項９】
第１のユーザ端末から所定のプリコーダ行列情報を受信する受信部と、
前記所定のプリコーダ行列情報に基づいて、第２のユーザ端末への下りリンク・マルチアンテナ伝送に適用するプリコーダ行列を決定する制御部と、を有し、
前記所定のプリコーダ行列情報は、前記第１のユーザ端末にとって好ましくない前記プリコーダ行列を示すと共に前記第１のユーザ端末に対してビームが向く前記プリコーダ行列を示すことを特徴とする基地局。
【請求項１０】
基地局を制御するプロセッサであって、
第１のユーザ端末から所定のプリコーダ行列情報を受信する処理と、
前記所定のプリコーダ行列情報に基づいて、第２のユーザ端末への下りリンク・マルチアンテナ伝送に適用するプリコーダ行列を決定する処理と、を実行し、
前記所定のプリコーダ行列情報は、前記第１のユーザ端末にとって好ましくない前記プリコーダ行列を示すと共に前記第１のユーザ端末に対してビームが向く前記プリコーダ行列を示すことを特徴とするプロセッサ。
【請求項１１】
所定のプリコーダ行列情報を基地局にフィードバックする第１のユーザ端末と、
前記所定のプリコーダ行列情報に基づいて、第２のユーザ端末への下りリンク・マルチアンテナ伝送に適用するプリコーダ行列を決定する前記基地局と、を有し、
前記所定のプリコーダ行列情報は、前記第１のユーザ端末にとって好ましくない前記プリコーダ行列を示し、
前記基地局は、前記所定のプリコーダ行列情報と一致するプリコーダ行列情報をフィードバックする前記第２のユーザ端末に対して、前記第１のユーザ端末と同一の無線リソースを割り当てて、前記一致するプリコーダ行列情報に従って前記第２のユーザ端末への下りリンク・マルチアンテナ伝送を行うことを特徴とする移動通信システム。
【請求項１２】
所定のプリコーダ行列情報を基地局にフィードバックする第１のユーザ端末と、
前記所定のプリコーダ行列情報に基づいて、第２のユーザ端末への下りリンク・マルチアンテナ伝送に適用するプリコーダ行列を決定する前記基地局と、を有し、
前記所定のプリコーダ行列情報は、前記第１のユーザ端末にとって好ましくない前記プリコーダ行列を示し、
前記基地局は、前記第２のプリコーダ行列情報と一致しないプリコーダ行列情報をフィードバックする前記第２のユーザ端末に対して、前記第１のユーザ端末と同一の無線リソースを割り当てて、前記一致しないプリコーダ行列情報に従って前記第２のユーザ端末への下りリンク・マルチアンテナ伝送を行うことを特徴とする移動通信システム。
【請求項１３】
第１のユーザ端末からフィードバックされた所定のプリコーダ行列情報に基づいて、第２のユーザ端末への下りリンク・マルチアンテナ伝送に適用するプリコーダ行列を決定する制御部を有し、
前記所定のプリコーダ行列情報は、前記第１のユーザ端末にとって好ましくない前記プリコーダ行列を示し、
前記制御部は、前記所定のプリコーダ行列情報と一致するプリコーダ行列情報をフィードバックする前記第２のユーザ端末に対して、前記第１のユーザ端末と同一の無線リソースを割り当てて、前記一致するプリコーダ行列情報に従って前記第２のユーザ端末への下りリンク・マルチアンテナ伝送を行うことを特徴とする基地局。
【請求項１４】
第１のユーザ端末からフィードバックされた所定のプリコーダ行列情報に基づいて、第２のユーザ端末への下りリンク・マルチアンテナ伝送に適用するプリコーダ行列を決定する制御部を有し、
前記所定のプリコーダ行列情報は、前記第１のユーザ端末にとって好ましくない前記プリコーダ行列を示し、
前記制御部は、前記所定のプリコーダ行列情報と一致しないプリコーダ行列情報をフィードバックする前記第２のユーザ端末に対して、前記第１のユーザ端末と同一の無線リソースを割り当てて、前記一致しないプリコーダ行列情報に従って前記第２のユーザ端末への下りリンク・マルチアンテナ伝送を行うことを特徴とする基地局。
【手続補正２】
【補正対象書類名】明細書
【補正対象項目名】０００８
【補正方法】変更
【補正の内容】
【０００８】
一実施形態によれば、移動通信システムは、所定のプリコーダ行列情報を基地局にフィードバックする第１のユーザ端末と、前記所定のプリコーダ行列情報に基づいて、第２のユーザ端末への下りリンク・マルチアンテナ伝送に適用するプリコーダ行列を決定する前記基地局と、を有する。前記所定のプリコーダ行列情報は、前記第１のユーザ端末にとって好ましくない前記プリコーダ行列を示すと共に前記第１のユーザ端末に対してビームが向く前記プリコーダ行列を示す。
【国際調査報告】
2014073488.tif 000017
2014073488.tif 000018